(57)【要約】【課題】テレビジョン等の制御機器の消費電力及びノイズを低減させることを課題とする。【解決手段】第一のプラグ１６０における第一グランド接続部１７３と電源電位接続部１７４とを合わせた位置を、第二のプラグ２６０における第二グランド接続部２７３に対応した位置とする。シリアル通信調整装置（１００）は、第一グランド接続部１７３をグランド電位とし、電源電位接続部１７４を電源電位とする。外部機器（２００）は、第二グランド接続部２７３をグランド電位とする。制御機器（１０）の切替部４０は、ジャック電源電位検出部６４の電位が電源電位側である場合にシリアル信号処理部２０をジャック信号伝達部６１，６２に接続し、ジャック電源電位検出部６４の電位がグランド電位側である場合に第二信号処理部３０をジャック信号伝達部６１，６２に接続する。【選択図】図２
2012100076.tif 000002
【特許請求の範囲】
【請求項１】
制御機器に対して、該制御機器を調整するためのシリアル信号を伝達するシリアル通信ケーブルを介してシリアル通信調整装置を接続可能とされるとともに、前記シリアル信号とは異なる第二の信号を伝達する接続ケーブルを介して外部機器を接続可能とされた制御システムにおいて、
前記シリアル通信ケーブルの端部には、前記シリアル信号を伝達するためのシリアル信号伝達部、グランド電位とされる第一グランド接続部、及び、電源電位とされる電源電位接続部を有する第一のプラグが設けられ、
前記接続ケーブルの端部には、前記第二の信号を伝達するための第二信号伝達部、及び、グランド電位とされる第二グランド接続部を有する第二のプラグが設けられ、
前記制御機器は、前記第一のプラグと前記第二のプラグとの共用のジャックと、前記シリアル信号の伝達のためのシリアル信号処理部と、前記第二の信号の伝達のための第二信号処理部と、前記ジャックに前記シリアル信号処理部を接続するか前記第二信号処理部を接続するかを切り替えるための切替部とを備え、
前記第一のプラグにおける前記第一グランド接続部と前記電源電位接続部とを合わせた位置は、前記第二のプラグにおける前記第二グランド接続部に対応した位置とされ、
前記シリアル通信調整装置は、前記第一グランド接続部をグランド電位とし、前記電源電位接続部を電源電位とし、
前記外部機器は、前記第二グランド接続部をグランド電位とし、
前記ジャックは、前記第一のプラグにおける前記第一グランド接続部に対応した位置のジャックグランド接続部と、前記第一のプラグにおける前記電源電位接続部に対応した位置のジャック電源電位検出部と、前記第一のプラグにおける前記シリアル信号伝達部及び前記第二のプラグにおける前記第二信号伝達部に対応した位置のジャック信号伝達部とを備え、
前記切替部は、前記ジャック電源電位検出部の電位が電源電位側である場合に前記シリアル信号処理部を前記ジャック信号伝達部に接続し、前記ジャック電源電位検出部の電位がグランド電位側である場合に前記第二信号処理部を前記ジャック信号伝達部に接続することを特徴とする制御システム。
【請求項２】
前記切替部は、前記ジャックに前記第一のプラグと前記第二のプラグのいずれも接続されていない場合に前記第二信号処理部を前記ジャック信号伝達部に接続することを特徴とする請求項１に記載の制御システム。
【請求項３】
前記シリアル通信調整装置は、自らの電源ラインと前記電源電位接続部とに介装された第一の抵抗で該電源電位接続部をプルアップし、
前記切替部は、前記ジャック電源電位検出部に一端を接続した第二の抵抗と、該第二の抵抗の他端に一端を接続し他端を接地した第三の抵抗とを備え、該第三の抵抗の抵抗値が前記第一の抵抗の抵抗値及び前記第二の抵抗の抵抗値よりも大きくされ、前記第二の抵抗の他端の電圧がハイレベルである場合に前記シリアル信号処理部を前記ジャック信号伝達部に接続し、前記第二の抵抗の他端の電圧がローレベルである場合に前記第二信号処理部を前記ジャック信号伝達部に接続することを特徴とする請求項１又は請求項２に記載の制御システム。
【請求項４】
制御機器を調整するためのシリアル信号を伝達するシリアル通信ケーブルを介してシリアル通信調整装置が接続可能であるとともに、前記シリアル信号とは異なる第二の信号を伝達する接続ケーブルを介して外部機器が接続可能である制御機器であって、
前記シリアル通信ケーブルの端部に、前記シリアル信号を伝達するためのシリアル信号伝達部、前記シリアル通信調整装置によりグランド電位とされる第一グランド接続部、及び、前記シリアル通信調整装置により電源電位とされる電源電位接続部を有する第一のプラグが設けられ、
前記接続ケーブルの端部に、前記第二の信号を伝達するための第二信号伝達部、及び、前記外部機器によりグランド電位とされる第二グランド接続部を有する第二のプラグが設けられ、
前記第一のプラグにおける前記第一グランド接続部と前記電源電位接続部とを合わせた位置が前記第二のプラグにおける前記第二グランド接続部に対応した位置とされ、
前記第一のプラグ及び前記第二のプラグを差込可能な制御機器において、
前記第一のプラグと前記第二のプラグとの共用のジャックと、
前記シリアル信号の伝達のためのシリアル信号処理部と、
前記第二の信号の伝達のための第二信号処理部と、
前記ジャックに前記シリアル信号処理部を接続するか前記第二信号処理部を接続するかを切り替えるための切替部とを備え、
前記ジャックは、前記第一のプラグにおける前記第一グランド接続部に対応した位置のジャックグランド接続部と、前記第一のプラグにおける前記電源電位接続部に対応した位置のジャック電源電位検出部と、前記第一のプラグにおける前記シリアル信号伝達部及び前記第二のプラグにおける前記第二信号伝達部に対応した位置のジャック信号伝達部とを備え、
前記切替部は、前記ジャック電源電位検出部の電位が電源電位側である場合に前記シリアル信号処理部を前記ジャック信号伝達部に接続し、前記ジャック電源電位検出部の電位がグランド電位側である場合に前記第二信号処理部を前記ジャック信号伝達部に接続することを特徴とする制御機器。
【請求項５】
テレビジョン放送受信装置に対して、該テレビジョン放送受信装置を調整するためのシリアル信号を伝達するシリアル通信ケーブルを介してシリアル通信調整装置を接続可能とされるとともに、前記シリアル信号とは異なる第二の信号を伝達する接続ケーブルを介して外部機器を接続可能とされたテレビジョン放送受信システムにおいて、
前記シリアル通信ケーブルの端部には、前記シリアル信号を伝達するためのシリアル信号伝達部、グランド電位とされる第一グランド接続部、及び、電源電位とされる電源電位接続部を有する第一のプラグが設けられ、
前記接続ケーブルの端部には、前記第二の信号を伝達するための第二信号伝達部、及び、グランド電位とされる第二グランド接続部を有する第二のプラグが設けられ、
前記テレビジョン放送受信装置は、前記第一のプラグと前記第二のプラグとの共用のジャックと、前記シリアル信号の伝達のためのシリアル信号処理部と、前記第二の信号の伝達のための第二信号処理部と、前記ジャックに前記シリアル信号処理部を接続するか前記第二信号処理部を接続するかを切り替えるための切替部とを備え、
前記第一のプラグにおける前記第一グランド接続部と前記電源電位接続部とを合わせた位置は、前記第二のプラグにおける前記第二グランド接続部に対応した位置とされ、
前記シリアル通信調整装置は、前記第一グランド接続部をグランド電位とし、自らの電源ラインと前記電源電位接続部とに介装された第一の抵抗で該電源電位接続部をプルアップし、
前記外部機器は、前記第二グランド接続部をグランド電位とし、
前記ジャックは、前記第一のプラグにおける前記第一グランド接続部に対応した位置のジャックグランド接続部と、前記第一のプラグにおける前記電源電位接続部に対応した位置のジャック電源電位検出部と、前記第一のプラグにおける前記シリアル信号伝達部及び前記第二のプラグにおける前記第二信号伝達部に対応した位置のジャック信号伝達部とを備え、
前記切替部は、前記ジャック電源電位検出部に一端を接続した第二の抵抗と、該第二の抵抗の他端に一端を接続し他端を接地した第三の抵抗であって抵抗値が前記第一の抵抗の抵抗値及び前記第二の抵抗の抵抗値よりも大きくされた第三の抵抗と、前記第二の抵抗の他端にアノード側を接続し電源ラインにカソード側を接続した第一のダイオードと、前記第二の抵抗の他端にアノード側を接続しカソード側を接地した第二のダイオードと、前記第二の抵抗の他端に一端を接続し他端を接地したコンデンサと、前記第二の抵抗の他端の電圧を入力するスイッチ回路とを備え、
該スイッチ回路は、前記第二の抵抗の他端の電圧がハイレベルである場合に前記シリアル信号処理部を前記ジャック信号伝達部に接続し、前記第二の抵抗の他端の電圧がローレベルである場合に前記第二信号処理部を前記ジャック信号伝達部に接続することを特徴とするテレビジョン放送受信システム。
【発明の詳細な説明】
【技術分野】
【０００１】
本発明は、テレビジョン等の制御機器に対してシリアル通信調整装置及び外部機器を接続可能な制御システム、制御機器、及び、テレビジョン放送受信システムに関する。
【背景技術】
【０００２】
特許文献１には、ＢＳ（broadcasting satellite）チューナ等の被制御機器に接続ケーブルを介して制御信号を出力することにより被制御機器を制御するテレビジョン受像機等の制御機器に対して複数の被制御機器を差し間違えることなく接続することを目的とした制御システムが開示されている。この制御システムの接続ケーブルには、制御機器と被制御機器とを接続する機器間接続ケーブルと、赤外線を発光する発光部を被制御機器側の先端部に備える赤外線出力ケーブルと、が含まれる。制御機器は、共用の第１の接続端子部と、第１の抵抗と、接続された被制御機器の種類を判別する判別手段と、出力する制御信号の種類を切り替える切替手段と、を備えている。機器間接続ケーブルで制御機器と接続される被制御機器は、機器間接続ケーブルが接続される第２の接続端子部と、第２の接続端子部に機器間ケーブルが接続された場合に第１の抵抗と接続される第２の抵抗と、を備えている。第２の抵抗の抵抗値は、当該被制御機器の種類毎に異なっている。制御機器は、第１の接続端子部に接続ケーブルが接続されることにより、第１の抵抗と第２の抵抗の中間電位を計測し、該中間電位の値に基づいて機器間接続ケーブル或いは赤外線出力ケーブルの何れが接続されたかを判別し、該判別した被制御機器の種類毎に出力する制御信号の種類を切り替える。
上記制御システムは、制御機器調整用のシリアル信号を伝達するためのサービス端子と他のジャックを使用している端子とを１つのジャックで共用するものではない。
【０００３】
特許文献２に記載のＩＴ端末は、複数種類のオーディオ機器に共通化されたジャックインタフェースを備え、ヘッドホン、イヤホンマイク、ステレオマイクを電圧比較論理回路によって自動判別する。このＩＴ端末は、シリアル通信機器との切り替えを行うものではない。
特許文献３に記載の電子装置は、同一コネクタ内に２本の入出力兼用ラインを備える。この電子装置は、入出力端子の存在が前提であり、入出力端子の種類を判別するものではない。
【０００４】
特許文献４に記載の受信機は、イヤホン端子とアンテナ入力端子を共用し、挿入される端子種類に応じて音声信号を切り替えて出力させる。この受信機も、制御機器調整用のシリアル信号を伝達するためのサービス端子と他のジャックを使用している端子とを１つのジャックで共用するものではない。
特許文献５に記載の携帯電子機器は、ＵＳＢ（universal serial bus）コネクターを外部電源接続用のコネクターとして兼用し、情報処理機器から電源の供給を受けている状態では、共通シリアルバスコントローラに所定のデータ通信処理を実行させ、外部電源又は内部電源から電源の供給を受けている状態では、所定の機器動作処理を実行する。この携帯電子機器も、制御機器調整用のシリアル信号を伝達するためのサービス端子と他のジャックを使用している端子とを１つのジャックで共用するものではない。
【先行技術文献】
【特許文献】
【０００５】
【特許文献１】特許４０９６９７１号公報
【特許文献２】特許４３９４５８９号公報
【特許文献３】特開平０８−２２３０１１号公報
【特許文献４】特開平０６−０６２３２８号公報
【特許文献５】特開２００１−１８４１４６号公報
【発明の概要】
【発明が解決しようとする課題】
【０００６】
特許文献１〜５に記載の技術は、制御機器調整用のシリアル信号を伝達するためのサービス端子と他のジャックを使用している端子とを１つのジャックで共用するものではない。
また、特許文献１〜５に記載の技術は、テレビジョン等の制御機器の消費電力低減及びノイズ低減について、考慮されていない。
【０００７】
以上を鑑み、本発明は、制御機器の消費電力及びノイズを低減させることを目的としている。
【課題を解決するための手段】
【０００８】
上記目的を達成するため、本発明は、制御機器に対して、該制御機器を調整するためのシリアル信号を伝達するシリアル通信ケーブルを介してシリアル通信調整装置を接続可能とされるとともに、前記シリアル信号とは異なる第二の信号を伝達する接続ケーブルを介して外部機器を接続可能とされた制御システムにおいて、
前記シリアル通信ケーブルの端部には、前記シリアル信号を伝達するためのシリアル信号伝達部、グランド電位とされる第一グランド接続部、及び、電源電位とされる電源電位接続部を有する第一のプラグが設けられ、
前記接続ケーブルの端部には、前記第二の信号を伝達するための第二信号伝達部、及び、グランド電位とされる第二グランド接続部を有する第二のプラグが設けられ、
前記制御機器は、前記第一のプラグと前記第二のプラグとの共用のジャックと、前記シリアル信号の伝達のためのシリアル信号処理部と、前記第二の信号の伝達のための第二信号処理部と、前記ジャックに前記シリアル信号処理部を接続するか前記第二信号処理部を接続するかを切り替えるための切替部とを備え、
前記第一のプラグにおける前記第一グランド接続部と前記電源電位接続部とを合わせた位置は、前記第二のプラグにおける前記第二グランド接続部に対応した位置とされ、
前記シリアル通信調整装置は、前記第一グランド接続部をグランド電位とし、前記電源電位接続部を電源電位とし、
前記外部機器は、前記第二グランド接続部をグランド電位とし、
前記ジャックは、前記第一のプラグにおける前記第一グランド接続部に対応した位置のジャックグランド接続部と、前記第一のプラグにおける前記電源電位接続部に対応した位置のジャック電源電位検出部と、前記第一のプラグにおける前記シリアル信号伝達部及び前記第二のプラグにおける前記第二信号伝達部に対応した位置のジャック信号伝達部とを備え、
前記切替部は、前記ジャック電源電位検出部の電位が電源電位側である場合に前記シリアル信号処理部を前記ジャック信号伝達部に接続し、前記ジャック電源電位検出部の電位がグランド電位側である場合に前記第二信号処理部を前記ジャック信号伝達部に接続することを特徴とする。
【０００９】
また、本発明は、制御機器を調整するためのシリアル信号を伝達するシリアル通信ケーブルを介してシリアル通信調整装置が接続可能であるとともに、前記シリアル信号とは異なる第二の信号を伝達する接続ケーブルを介して外部機器が接続可能である制御機器であって、
前記シリアル通信ケーブルの端部に、前記シリアル信号を伝達するためのシリアル信号伝達部、前記シリアル通信調整装置によりグランド電位とされる第一グランド接続部、及び、前記シリアル通信調整装置により電源電位とされる電源電位接続部を有する第一のプラグが設けられ、
前記接続ケーブルの端部に、前記第二の信号を伝達するための第二信号伝達部、及び、前記外部機器によりグランド電位とされる第二グランド接続部を有する第二のプラグが設けられ、
前記第一のプラグにおける前記第一グランド接続部と前記電源電位接続部とを合わせた位置が前記第二のプラグにおける前記第二グランド接続部に対応した位置とされ、
前記第一のプラグ及び前記第二のプラグを差込可能な制御機器において、
前記第一のプラグと前記第二のプラグとの共用のジャックと、
前記シリアル信号の伝達のためのシリアル信号処理部と、
前記第二の信号の伝達のための第二信号処理部と、
前記ジャックに前記シリアル信号処理部を接続するか前記第二信号処理部を接続するかを切り替えるための切替部とを備え、
前記ジャックは、前記第一のプラグにおける前記第一グランド接続部に対応した位置のジャックグランド接続部と、前記第一のプラグにおける前記電源電位接続部に対応した位置のジャック電源電位検出部と、前記第一のプラグにおける前記シリアル信号伝達部及び前記第二のプラグにおける前記第二信号伝達部に対応した位置のジャック信号伝達部とを備え、
前記切替部は、前記ジャック電源電位検出部の電位が電源電位側である場合に前記シリアル信号処理部を前記ジャック信号伝達部に接続し、前記ジャック電源電位検出部の電位がグランド電位側である場合に前記第二信号処理部を前記ジャック信号伝達部に接続することを特徴とする。
【発明の効果】
【００１０】
請求項１、請求項４、請求項５に係る発明によれば、制御機器の消費電力及びノイズを低減させることができる。
請求項２に係る発明では、制御機器の調整に関係しているシリアル信号処理部を保護することができる。
請求項３、請求項５に係る発明によれば、簡易な回路構成で制御機器の調整に関係しているシリアル信号処理部を保護することができる。
【図面の簡単な説明】
【００１１】
【図１】本発明の一実施形態に係るテレビジョン放送受信システム（制御システム）１の構成を模式的に例示する図である。
【図２】テレビジョン放送受信装置（制御機器）１０にシリアル通信治具（シリアル通信調整装置）１００が接続された状態のテレビジョン放送受信システム１の電気回路構成を例示する回路図である。
【図３】テレビジョン放送受信装置１０にパーソナルコンピュータ（外部機器）２００が接続された状態のテレビジョン放送受信システム１の電気回路構成を例示する回路図である。
【図４】テレビジョン放送受信装置１０の電気回路構成を例示する回路図である。
【図５】（ａ）はＩＣスイッチ（スイッチ回路）５０の構成を例示するブロック図、（ｂ）は（ａ）に示すＩＣスイッチ５０の真理値表を例示する図、である。
【図６】ジャック６０にプラグ１７０，２７０が差し込まれていない状態のテレビジョン放送受信装置１０の電気回路構成を例示する回路図である。
【図７】比較例においてテレビジョン放送受信装置９０１０にシリアル通信治具９１００が接続された状態のテレビジョン放送受信システムの電気回路構成を例示する回路図である。
【図８】比較例においてテレビジョン放送受信装置９０１０のジャック６０にパーソナルコンピュータ９２００の接続ケーブル９２５０のプラグ９２７０が差し込まれてしまった状態のテレビジョン放送受信システムの電気回路構成を例示する回路図である。
【発明を実施するための形態】
【００１２】
（１）テレビジョン放送受信システム（制御システム）の概略：
図１に例示するテレビジョン放送受信システム（制御システム）１は、テレビジョン放送受信装置（制御機器）１０に対して、該テレビジョン放送受信装置１０を調整するためのシリアル信号ＳＩ１を伝達するシリアル通信ケーブル１５０を介してシリアル通信治具（シリアル通信調整装置）１００を接続可能とされるとともに、シリアル信号ＳＩ１とは異なる第二の信号ＳＩ２を伝達する接続ケーブル２５０を介してパーソナルコンピュータ（外部機器）２００を接続可能とされている。
【００１３】
テレビジョン放送受信装置１０は、テレビジョン放送を受信する装置であればよく、テレビジョン、チューナを有する記録再生装置、等が含まれる。前記テレビジョンは、液晶テレビジョンやプラズマテレビジョンといった薄型表示装置、受像管表示装置、記録再生装置が一体化されたテレビジョン、等のディスプレイでもよい。前記記録再生装置には、ハードディスク記録再生装置、ＢＤ（Blue-ray Disc）記録再生装置、ＤＶＤ（Digital Versatile Disk）記録再生装置、ビデオデッキ、等が含まれる。前記テレビジョン放送には、地上デジタル放送、ＢＳ（Broadcasting Satellite）放送、ＣＳ（Communication Satellite）放送、地上アナログ放送、等が含まれる。むろん、制御機器（１０）には、テレビジョン放送を受信しないディスプレイや記録再生装置等が含まれる。
【００１４】
図１〜６に例示される制御システムのシリアル通信ケーブル１５０の端部には、前記シリアル信号ＳＩ１を伝達するためのシリアル信号伝達部１７１，１７２、グランド電位とされる第一グランド接続部１７３、及び、電源電位とされる電源電位接続部１７４を有する第一のプラグ１６０が設けられている。
また、前記接続ケーブル２５０の端部には、前記第二の信号ＳＩ２を伝達するための第二信号伝達部２７１，２７２、及び、グランド電位とされる第二グランド接続部２７３を有する第二のプラグ２６０が設けられている。
前記制御機器（１０）は、前記第一のプラグ１６０と前記第二のプラグ２６０との共用のジャック６０と、前記シリアル信号ＳＩ１の伝達のためのシリアル信号処理部２０と、前記第二の信号ＳＩ２の伝達のための第二信号処理部３０と、前記ジャック６０に前記シリアル信号処理部２０を接続するか前記第二信号処理部３０を接続するかを切り替えるための切替部４０とを備えている。
【００１５】
前記第一のプラグ１６０における前記第一グランド接続部１７３と前記電源電位接続部１７４とを合わせた位置は、前記第二のプラグ２６０における前記第二グランド接続部２７３に対応した位置とされている。
前記シリアル通信調整装置（１００）は、前記第一グランド接続部１７３をグランド電位とし、前記電源電位接続部１７４を電源電位とする。
前記外部機器（２００）は、前記第二グランド接続部２７３をグランド電位とする。
【００１６】
前記ジャック６０は、前記第一のプラグ１６０における前記第一グランド接続部１７３に対応した位置のジャックグランド接続部６３と、前記第一のプラグ１６０における前記電源電位接続部１７４に対応した位置のジャック電源電位検出部６４と、前記第一のプラグ１６０における前記シリアル信号伝達部１７１，１７２及び前記第二のプラグ２６０における前記第二信号伝達部２７１，２７２に対応した位置のジャック信号伝達部６１，６２とを備えている。
前記切替部４０は、前記ジャック電源電位検出部６４の電位が電源電位側である場合に前記シリアル信号処理部２０を前記ジャック信号伝達部６１，６２に接続し、前記ジャック電源電位検出部６４の電位がグランド電位側である場合に前記第二信号処理部３０を前記ジャック信号伝達部６１，６２に接続する。ここで、電源電位をＥ（Ｖ；Ｅ＞０）、グランド電位を０Ｖとすると、ジャック電源電位検出部６４の電位Ｖｄが電源電位側であるとは、Ｖｄが電源電位とグランド電位の中間電位Ｅ／２よりも大きいことを意味する。また、電位Ｖｄがグランド電位側であるとは、Ｖｄが中間電位Ｅ／２よりも小さいことを意味する。
【００１７】
図７は、比較例に係るテレビジョン放送受信システムの電気回路構成を例示しており、テレビジョン放送受信装置９０１０にシリアル通信治具９１００が接続された状態とされている。本テレビジョン放送受信装置９０１０は、図８に例示するパーソナルコンピュータ（ＰＣ）９２００からの音声入力のためのミニジャック９０６０、シリアル通信治具９１００とのシリアル通信のためのミニジャック９０６５、図示しないイヤホンジャック、が一つずつ実装されている。ここで、シリアル通信ケーブル９１５０のプラグ９１６０とミニジャック９０６５とは、シリアル通信冶具９１００を接続するためのサービス端子とされている。サービス端子用のミニジャック９０６０は、見かけ上、ＰＣ音声入力用のミニジャック９０６５やイヤホンジャックと同一の物を使用している。このため、図８に例示するように接続ケーブル９２５０のプラグ９２６０をサービス端子用のミニジャック９０６０に差し込むといった指し間違い等が発生することがある。
そこで、サービス端子用のジャックと他のジャックを一つのジャックで共用することにより、プラグ誤挿入の問題を解消している。
【００１８】
また、シリアル通信ケーブル１５０のプラグ１６０の電源電位接続部１７４は、制御機器（１０）ではなく、シリアル通信調整装置（１００）が電源電位とする。電源電位接続部１７４を電源電位とする回路が制御機器（１０）に設けられていないので、電源電位接続部１７４を電源電位とする回路を制御機器（１０）に設ける場合と比べて消費電力が少なくてすむ。さらに、電源電位接続部１７４を電源電位とする回路を流れる電流に由来する電磁波が生じない。従って、本制御システム（１）は、制御機器（１０）の消費電力及びノイズを低減させることができる。
【００１９】
上記切替部４０は、図６に例示するように、前記ジャック６０に前記第一のプラグ１６０と前記第二のプラグ２６０のいずれも接続されていない場合に前記第二信号処理部３０を前記ジャック信号伝達部６１，６２に接続してもよい。ジャック６０にプラグ１６０，２６０が接続されていない場合にシリアル信号処理部２０がジャック信号伝達部６１，６２に接続されないので、制御機器（１０）の調整に関係しているシリアル信号処理部２０を保護することができる。
【００２０】
上記シリアル通信調整装置（１００）は、自らの電源ラインと前記電源電位接続部１７４とに介装された第一の抵抗Ｒ１で該電源電位接続部１７４をプルアップしてもよい。
上記切替部４０は、前記ジャック電源電位検出部６４に一端を接続した第二の抵抗Ｒ２と、該第二の抵抗Ｒ２の他端Ｒ２ｂに一端を接続し他端を接地した第三の抵抗Ｒ３とを備え、該第三の抵抗Ｒ３の抵抗値ｒ３が前記第一の抵抗Ｒ１の抵抗値ｒ１及び前記第二の抵抗Ｒ２の抵抗値ｒ２よりも大きくされ、前記第二の抵抗Ｒ２の他端Ｒ２ｂの電圧がハイレベル（電源電位側）である場合に前記シリアル信号処理部２０を前記ジャック信号伝達部６１，６２に接続し、前記第二の抵抗Ｒ２の他端Ｒ２ｂの電圧がローレベル（グランド電位側）である場合に前記第二信号処理部３０を前記ジャック信号伝達部６１，６２に接続してもよい。
以上より、簡易な回路構成で制御機器（１０）の調整に関係しているシリアル信号処理部２０を保護することができる。
【００２１】
上記制御機器（１０）は、
前記第一のプラグ１６０と前記第二のプラグ２６０との共用のジャック６０と、
前記シリアル信号ＳＩ１の伝達のためのシリアル信号処理部２０と、
前記第二の信号ＳＩ２の伝達のための第二信号処理部３０と、
前記ジャック６０に前記シリアル信号処理部２０を接続するか前記第二信号処理部３０を接続するかを切り替えるための切替部４０とを備え、
前記ジャック６０は、前記第一のプラグ１６０における前記第一グランド接続部１７３に対応した位置のジャックグランド接続部６３と、前記第一のプラグ１６０における前記電源電位接続部１７４に対応した位置のジャック電源電位検出部６４と、前記第一のプラグ１６０における前記シリアル信号伝達部１７１，１７２及び前記第二のプラグ２６０における前記第二信号伝達部２７１，２７２に対応した位置のジャック信号伝達部６１，６２とを備え、
前記切替部４０は、前記ジャック電源電位検出部６４の電位が電源電位側である場合に前記シリアル信号処理部２０を前記ジャック信号伝達部６１，６２に接続し、前記ジャック電源電位検出部６４の電位がグランド電位側である場合に前記第二信号処理部３０を前記ジャック信号伝達部６１，６２に接続する。従って、本制御機器（１０）は、消費電力及びノイズを低減させることができる。
【００２２】
（２）テレビジョン放送受信システム（制御システム）の構成：
図２，３に例示するテレビジョン放送受信装置１０は、シリアル信号処理部２０、第二信号処理部３０、共用のジャック６０、切替部４０、等を備え、第一のプラグ１６０及び第二のプラグ２６０を差込可能である。テレビジョン放送受信装置１０は、パーソナルコンピュータ（ＰＣ）２００が接続されているときにはスイッチ回路であるＩＣ（集積回路）スイッチ５１，５２が第二信号処理部３０側に切り替わってＰＣ２００からのアナログ音声信号Ｌ，Ｒがアナログ／デジタル変換部（Ａ／Ｄ変換部）３２に入力される。一方、シリアル通信治具１００が接続されているとき、テレビジョン放送受信装置１０は、ＩＣスイッチ５１，５２がシリアル信号処理部２０側に切り替わってシリアル信号ＣＬＫ，ＤＡＴＡの通信が可能となる。このとき、シリアル通信治具１００からテレビジョン放送受信装置１０に不具合があるかどうかの状況を確認することができ、テレビジョン放送受信装置１０を調整するための調整値をシリアル信号で伝達することができる。テレビジョン放送受信装置１０は、ＥＥＰＲＯＭ（Electrically Erasable and Programmable Read Only Memory）といった書き換え可能な不揮発性半導体メモリを備えており、シリアル通信治具１００から入力された調整値を不揮発性半導体メモリに書き込む。
【００２３】
シリアル信号ＳＩ１の伝達のためのシリアル信号処理部２０は、シリアル通信治具１００とシリアル信号ＣＬＫ，ＤＡＴＡ（シリアル信号ＳＩ１）を伝達するための通信ブロック２２を備えている。ここで、ＣＬＫ信号は、クロック信号であり、所定のクロック周波数で電圧がハイレベルＨとローレベルＬで交互に変わる基準信号である。ＤＡＴＡ信号は、ＣＬＫ信号の発振に同期したシリアルのデータ信号である。
第二の信号ＳＩ２の伝達のための第二信号処理部３０は、ＰＣ２００からのアナログ音声信号Ｌ，Ｒ（第二の信号ＳＩ２）をデジタル音声信号に変換するＡ／Ｄ変換部３２と、デジタル音声信号Ｌ，Ｒに基づいてデジタル音声信号Ｌ，Ｒに対応した音声を出力する音声ブロック３４とを備えている。ここで、音声信号Ｌは左側のスピーカから出力する音声を表す信号であり、音声信号Ｒは右側のスピーカから出力する音声を表す信号である。
【００２４】
第一のプラグ１６０と第二のプラグ２６０との共用のジャック６０（例えばミニジャック）は、最も深い部位から最も浅い部位への順に、ジャック信号伝達部６１，６２、ジャック電源電位検出部６４、ジャックグランド接続部６３、が設けられている。ジャック信号伝達部６１は、第一のプラグ１６０におけるシリアル信号伝達部１７１及び第二のプラグ２６０における第二信号伝達部２７１に対応した位置に設けられ、ＩＣスイッチ５１の分岐元端子Ｄ１に接続され、シリアル信号ＤＡＴＡ又はアナログ音声信号Ｌを伝達する。ジャック信号伝達部６２は、第一のプラグ１６０におけるシリアル信号伝達部１７２及び第二のプラグ２６０における第二信号伝達部２７２に対応した位置に設けられ、ＩＣスイッチ５２の分岐元端子Ｄ２に接続され、シリアル信号ＣＬＫ又はアナログ音声信号Ｒを伝達する。ジャック電源電位検出部６４は、第一のプラグ１６０における電源電位接続部１７４に対応した位置に設けられ、切替部４０の１ｋΩ等の第二の抵抗Ｒ２の一端に接続されている。ジャックグランド接続部６３は、第一のプラグ１６０における第一グランド接続部１７３に対応した位置に設けられ、グランドに接続されている。
【００２５】
共用のジャック６０にシリアル信号処理部２０を接続するか第二信号処理部３０を接続するかを切り替えるための切替部４０は、抵抗Ｒ２，Ｒ３、ダイオードＤ１，Ｄ２、コンデンサＣ１、ＩＣスイッチ５０、を備えている。ここで、第一の抵抗Ｒ１は、切替部４０に設けられておらず、シリアル通信治具１００に設けられている。第二の抵抗Ｒ２は、一端がジャック電源電位検出部６４に接続され、他端Ｒ２ｂがＩＣスイッチ５０等に接続され、ＩＣスイッチ５０の入力保護抵抗となり、過大電流を制限する。第三の抵抗Ｒ３は、一端が第二の抵抗Ｒ２の他端Ｒ２ｂに接続され、他端が接地されている。第三の抵抗Ｒ３の抵抗値ｒ３（１ＭΩ等）は、第一の抵抗Ｒ１の抵抗値ｒ１及び第二の抵抗Ｒ２の抵抗値ｒ２よりも大きくされている。第一のダイオードＤ１は、アノード側が第二の抵抗Ｒ２の他端Ｒ２ｂに接続され、カソード側が電源ライン（＋５Ｖ）に接続され、入力保護ダイオードとなり、過大電流を電源ラインへ逃がすことにより制限する。第二のダイオードＤ２は、アノード側が第二の抵抗Ｒ２の他端Ｒ２ｂに接続され、カソード側が接地され、入力保護ダイオードとなり、過大電流をグランドへ逃がすことにより制限する。コンデンサＣ１（１．０μＦ等）は、一端が第二の抵抗Ｒ２の他端Ｒ２ｂに接続され、他端が接地されている。第三の抵抗Ｒ３及びコンデンサＣ１により、ＩＣスイッチ５０の切替ポートの誤動作防止を行っている。ＩＣスイッチ５０は、後述する。
以上の回路構成とすることによって、ユーザが治具以外の４ピンジャックケーブル（映像入力、マイクロフォン入力、等の機能付き）を間違って接続した場合であっても、第二の抵抗Ｒ２及びコンデンサＣ１によってＡＣ（交流）成分が整流され、誤動作や破壊が起きない構成となっている。
【００２６】
図２に例示したシリアル通信ケーブル１５０は、両端部にミニプラグ（フォンプラグ）と呼ばれる第一のプラグ１６０，１６０が設けられ、これらのプラグ１６０，１６０が信号伝送用の信号線１５１〜１５４で接続されている。むろん、シリアル通信治具１００と接続する際には、プラグを省略してシリアル通信ケーブル１５０の信号線１５１〜１５４を直接、シリアル通信治具１００内の回路に接続してもよい。
【００２７】
第一のプラグ１６０は、最も先端側からプラグの基部に向かう順に、シリアル信号伝達部１７１，１７２、電源電位接続部１７４、第一グランド接続部１７３、が設けられている。各部１７１，１７２，１７３，１７４は、互いに絶縁されている。シリアル信号伝達部１７１は、シリアル信号ＤＡＴＡを伝達する部位である。シリアル信号伝達部１７２は、シリアル信号ＣＬＫを伝達する部位である。電源電位接続部１７４は、シリアル通信治具１００により電源電位とされる部位である。第一グランド接続部１７３は、グランド電位とされる部位である。両端のシリアル信号伝達部１７１，１７１同士はＤＡＴＡ信号線１５１で接続され、両端のシリアル信号伝達部１７２，１７２同士はＣＬＫ信号線１５２で接続され、両端の電源電位接続部１７４，１７４同士は電源信号線１５４で接続され、両端の第一グランド接続部１７３，１７３同士はグランド信号線１５３で接続されている。
第一のプラグ１６０が共用のジャック６０に差し込まれると、シリアル信号伝達部１７１がジャック信号伝達部６１と接触し、シリアル信号伝達部１７２がジャック信号伝達部６２と接触し、電源電位接続部１７４がジャック電源電位検出部６４と接触し、第一グランド接続部１７３がジャックグランド接続部６３と接触する。
【００２８】
図２に例示したシリアル通信治具１００は、第一のプラグ１６０を差し込むためのジャック１４０を備えている。ジャック１４０は、最も深い部位から最も浅い部位への順に、ジャック信号伝達部１４１，１４２、ジャック電源電位接続部１４４、ジャックグランド接続部１４３、が設けられている。各部１４１，１４２，１４３，１４４は、互いに絶縁されている。ジャック信号伝達部１４１は、シリアル信号ＤＡＴＡを伝達する。ジャック信号伝達部１４２は、シリアル信号ＣＬＫを伝達する。ジャック電源電位接続部１４４は、第一の抵抗Ｒ１を介して電源ライン（＋５Ｖ）に接続されている。すなわち、シリアル通信治具１００は、自らの電源ラインと電源電位接続部１７４とに介装された１ｋΩ等の第一の抵抗Ｒ１で該電源電位接続部１７４をプルアップする。ジャックグランド接続部１４３は、グランドに接続されている。すなわち、シリアル通信治具１００は、第一グランド接続部１７３をグランド電位とする。
【００２９】
図３に例示した接続ケーブル２５０は、両端部にミニプラグ（フォンプラグ）と呼ばれる第二のプラグ２６０，２６０が設けられ、これらのプラグ２６０，２６０が信号伝送用の信号線２５１〜２５３で接続されている。むろん、ＰＣ２００と接続する際には、プラグを省略して接続ケーブル２５０の信号線２５１〜２５３を直接、ＰＣ２００内の回路に接続してもよい。
【００３０】
第二のプラグ２６０は、最も先端側からプラグの基部に向かう順に、第二信号伝達部２７１，２７２、第一グランド接続部１７３、が設けられている。第二のプラグ２６０における第二グランド接続部２７３に対応した位置は、第一のプラグ１６０における第一グランド接続部１７３と電源電位接続部１７４とを合わせた位置とされている。各部２７１，２７２，２７３は、互いに絶縁されている。第二信号伝達部２７１は、左音声用のアナログ音声信号Ｌを伝達する部位である。第二信号伝達部２７２は、右音声用のアナログ信号Ｒを伝達する部位である。第二グランド接続部２７３は、グランド電位とされる部位である。両端の第二信号伝達部２７１，２７１同士は左音声信号線２５１で接続され、両端の第二信号伝達部２７２，２７２同士は右音声信号線２５２で接続され、両端の第二グランド接続部２７３，２７３同士はグランド信号線２５３で接続されている。
第二のプラグ２６０が共用のジャック６０に差し込まれると、第二信号伝達部２７１がジャック信号伝達部６１と接触し、第二信号伝達部２７２がジャック信号伝達部６２と接触し、第二グランド接続部２７３がジャック電源電位検出部６４及びジャックグランド接続部６３と接触する。
【００３１】
図３に例示したＰＣ２００は、第二のプラグ２６０を差し込むためのジャック２４０を備えている。ジャック２４０は、最も深い部位から最も浅い部位への順に、ジャック信号伝達部２４１，２４２、ジャックグランド接続部２４３、が設けられている。各部２４１，２４２，２４３は、互いに絶縁されている。ジャック信号伝達部２４１は、左音声用のアナログ音声信号Ｌを伝達する。ジャック信号伝達部２４２は、右音声用のアナログ音声信号Ｒを伝達する。ジャックグランド接続部２４３は、グランドに接続されている。すなわち、ＰＣ２００は、第二グランド接続部２７３をグランド電位とする。
【００３２】
テレビジョン放送受信装置１０のＩＣスイッチ（スイッチ回路）５０は、第二の抵抗Ｒ２の他端Ｒ２ｂの電圧を入力し、第二の抵抗Ｒ２の他端Ｒ２ｂの電圧がデジタル信号におけるハイレベルである場合にシリアル信号処理部２０をジャック信号伝達部６１，６２に接続し、第二の抵抗Ｒ２の他端Ｒ２ｂの電圧がデジタル信号におけるローレベルである場合に第二信号処理部３０をジャック信号伝達部６１，６２に接続する。図２，３に示すＩＣスイッチ５１は、Ｄ１端子が第二の抵抗Ｒ２の他端Ｒ２ｂに接続され、Ｄ１端子がハイレベルである場合に切替先をシリアル信号処理部２０とし、Ｄ１端子がローレベルである場合に切替先を第二信号処理部３０とする。ＩＣスイッチ５２は、Ｄ２端子が第二の抵抗Ｒ２の他端Ｒ２ｂに接続され、Ｄ２端子がハイレベルである場合に切替先をシリアル信号処理部２０とし、Ｄ２端子がローレベルである場合に切替先を第二信号処理部３０とする。
【００３３】
図４は、ＩＣスイッチ５１，５２を有するＩＣスイッチ５０を備えたテレビジョン放送受信装置１０の電気回路構成を例示している。図５（ａ）は、ＩＣスイッチ５０の構成を例示している。図５（ｂ）は、ＩＣスイッチ５０の真理値表を例示している。本ＩＣスイッチ５０は、イネーブル端子であるＥＮ端子、切替元のデータ端子であるＤ１，Ｄ２端子、切替先のデータ端子であるＳ１Ａ，Ｓ１Ｂ，Ｓ２Ａ，Ｓ２Ｂ端子、アドレス端子であるＡ１，Ａ０端子、電源端子であるＶｃｃ端子、グランド端子、等が設けられている。ＥＮ端子は、ローレベル「０」が入力されると、Ｓ１Ａ端子又はＳ１Ｂ端子とＤ１端子とを導通させず、Ｓ２Ａ端子又はＳ２Ｂ端子とＤ２端子とを導通させない。一方、ハイレベル「１」が入力されると、Ｓ１Ａ端子又はＳ１Ｂ端子とＤ１端子とを導通させ、Ｓ２Ａ端子又はＳ２Ｂ端子とＤ２端子とを導通させる。ここで、Ａ１端子及びＡ０端子にローレベルが入力されると、Ｄ１端子とＳ１Ａ端子が導通し、Ｄ２端子とＳ２Ａ端子が導通する。Ａ１端子にローレベルが入力され、Ａ０端子にハイレベルが入力されると、Ｄ１端子とＳ１Ｂ端子が導通し、Ｄ２端子とＳ２Ａ端子が導通する。Ａ１端子にハイレベルが入力され、Ａ０端子にローレベルが入力されると、Ｄ１端子とＳ１Ａ端子が導通し、Ｄ２端子とＳ２Ｂ端子が導通する。Ａ１端子及びＡ０端子にハイレベルが入力されると、Ｄ１端子とＳ１Ｂ端子が導通し、Ｄ２端子とＳ２Ｂ端子が導通する。
【００３４】
Ａ１，Ａ０端子はともに第二の抵抗Ｒ２の他端Ｒ２ｂに接続されているので、他端Ｒ２ｂがローレベルであるとジャック信号伝達部６１，６２と第二信号処理部３０とが接続され、他端Ｒ２ｂがハイレベルであるとジャック信号伝達部６１，６２とシリアル信号処理部２０とが接続される。
なお、ＩＣスイッチには東芝製ＴＣ４０５２Ｂ等を用いることができる。
【００３５】
（３）テレビジョン放送受信システム（制御システム）の動作、作用、及び、効果：
図２に示すように、シリアル通信治具１００に接続したシリアル通信ケーブル１５０の第一のプラグ１６０が共用のジャック６０に差し込まれると、ｒ１＜ｒ２＋ｒ３であるため、電源電位接続部１７４及びジャック電源電位検出部６４の電位はハイレベルとなる。このとき、第一の抵抗Ｒ１で電源電位接続部１７４及びジャック電源電位検出部６４がプルアップされるので、第一のプラグ１６０の電源電位接続部１７４以外の部位１７１，１７２，１７３や第二のプラグ２６０の各部２７１，２７２，２７３と接触した際でも回路の破壊等が生じない。また、ｒ１＋ｒ２＜ｒ３であるため、第二の抵抗Ｒ２の他端Ｒ２ｂの電位はハイレベルとなる。これにより、シリアル信号処理部２０がジャック信号伝達部６１，６２に接続され、テレビジョン放送受信装置１０とシリアル通信治具１００とがシリアル信号ＣＬＫ，ＤＡＴＡの伝達を行うことができる。
図３に示すように、ＰＣ２００に接続した接続ケーブル２５０の第二のプラグ２６０が共用のジャック６０に差し込まれると、第二グランド接続部２７３がグランドに接続されているため、ジャック電源電位検出部６４及び第二の抵抗Ｒ２の他端Ｒ２ｂの電位がローレベルとなる。これにより、第二信号処理部３０がジャック信号伝達部６１，６２に接続され、テレビジョン放送受信装置１０とＰＣ２００とがアナログ音声信号Ｌ，Ｒの伝達を行うことができる。
【００３６】
以上より、サービス端子用のジャックと他のジャックを一つのジャックで共用することができるので、プラグ差し間違いの防止や基板の省スペース化等の利点がある。また、ソフトウェア的な切り替えを行わないため、ソフトウェアの問題が発生した場合にＩＣスイッチ５０を直接切り替え、不具合現象のログを見ることができる。
さらに、シリアル通信ケーブル１５０のプラグ１６０の電源電位接続部１７４は、テレビジョン放送受信装置１０ではなく、シリアル通信治具１００が電源電位とする。電源電位接続部１７４を電源電位とする回路がテレビジョン放送受信装置１０に設けられていないので、電源電位接続部１７４を電源電位とする回路をテレビジョン放送受信装置１０に設ける場合と比べて消費電力が少なくてすむ。さらに、電源電位接続部１７４を電源電位とする回路を流れる電流に由来する電磁波が生じない。従って、本テレビジョン放送受信システム（制御システム）は、テレビジョン放送受信装置１０の消費電力及びノイズを低減させることができる。
【００３７】
また、図６に示すように、共用のジャック６０に第一のプラグ１６０と第二のプラグ２６０のいずれも接続されていない場合、ジャック電源電位検出部６４はオープン状態となる。この場合、第三の抵抗Ｒ３により第二の抵抗Ｒ２の他端Ｒ２ｂがグランド電位となり、第二信号処理部３０がジャック信号伝達部６１，６２に接続される。すなわち、ジャック６０にプラグ１６０，２６０が接続されていない場合にシリアル信号処理部２０がジャック信号伝達部６１，６２に接続されないので、テレビジョン放送受信装置１０の調整に関係しているシリアル信号処理部２０を保護することができる。
【００３８】
（４）変形例：
上述したジャック６０，１４０，２４０は、ミニジャック以外にも、マイクロジャックや標準ジャック等でもよい。すなわち、プラグ１６０，２６０は、ミニプラグ以外にも、マイクロプラグや標準プラグ等でもよい。
第一のプラグ１６０に設けられるシリアル信号伝達部１７１，１７２の数や、第二のプラグ２６０に設けられる第二信号伝達部２７１，２７２の数は、２以外にも、１でもよいし、３以上でもよい。
外部機器（２００）は、ＰＣ以外にも、記録再生装置、テレビジョン、ヘッドフォン、ヘッドセット、イヤフォン、等でもよい。接続ケーブル（２５０）は、音声入力用のケーブル以外にも、音声出力用のケーブル、映像入力用のケーブル、映像出力用のケーブル、等でもよい。
【００３９】
以上説明したように、本発明によると、種々の態様により、制御機器の消費電力及びノイズを低減させることが可能な制御システム、制御機器、制御方法、及び、テレビジョン放送受信システム、等を提供することができる。
【００４０】
なお、従属請求項に係る構成要件を有しておらず独立請求項に係る構成要件のみからなる装置、システム、方法及びプログラムでも、上述した基本的な作用、効果が得られる。
【００４１】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４２】
１…テレビジョン放送受信システム（制御システム）、
１０…テレビジョン放送受信装置（制御機器）、
２０…シリアル信号処理部、２２…通信ブロック、
３０…第二信号処理部、３２…アナログ／デジタル変換部、３４…音声ブロック、
４０…切替部、
５０，５１，５２…ＩＣスイッチ（スイッチ回路）、
６０…共用のジャック、
６１，６２…ジャック信号伝達部、
６３…ジャックグランド接続部、６４…ジャック電源電位検出部、
１００…シリアル通信治具（シリアル通信調整装置）、
１４０…ジャック、
１５０…シリアル通信ケーブル、１５１〜１５４…信号線、
１６０…第一のプラグ、
１７１，１７２…シリアル信号伝達部、
１７３…第一グランド接続部、１７４…電源電位接続部、
２００…パーソナルコンピュータ（外部機器）、
２４０…ジャック、
２５０…接続ケーブル、２５１〜２５３…信号線、
２６０…第二のプラグ、
２７１，２７２…第二信号伝達部、２７３…第二グランド接続部、
Ｃ１…コンデンサ、
Ｄ１…第一のダイオード、Ｄ２…第二のダイオード、
Ｒ１…第一の抵抗、Ｒ２…第二の抵抗、Ｒ２ｂ…第二の抵抗の他端、Ｒ３…第三の抵抗、
ＳＩ１…シリアル信号、ＳＩ２…第二の信号。
【図１】
2012100076.tif 000003
【図２】
2012100076.tif 000004
【図３】
2012100076.tif 000005
【図４】
2012100076.tif 000006
【図５】
2012100076.tif 000007
【図６】
2012100076.tif 000008
【図７】
2012100076.tif 000009
【図８】
2012100076.tif 000010